(57)【特許請求の範囲】
【請求項１】
（Ａ）過酸素化合物２５〜８５質量％、（Ｂ）ポリ−α−ヒドロキシアクリル酸及び／又はその塩０．３〜２．５質量％、（Ｃ）アクリル酸とマレイン酸との共重合体である高分子重合体０．５〜３質量％、（Ｄ）陰イオン界面活性剤及び／又は非イオン界面活性剤０．４〜２質量％及び（Ｅ）炭酸塩１０〜２５質量％を含有し、漂白活性化剤を含有せず、食器・調理器具等の漂白洗浄用用途であることを特徴とする粉末漂白洗浄剤組成物。
【請求項２】
（Ａ）成分の過酸素化合物が過炭酸ナトリウムである請求項１記載の粉末漂白洗浄剤組成物。
【請求項３】
（Ｂ）成分のポリ−α−ヒドロキシアクリル酸及び／又はその塩が、ポリ−α−ヒドロキシアクリル酸ナトリウムである請求項１又は２記載の粉末漂白洗浄剤組成物。
【請求項４】
（Ｃ）成分の高分子重合体の平均分子量が、５０，０００〜８０，０００の範囲である請求項１〜３のいずれか一項に記載の粉末漂白洗浄剤組成物。
【請求項５】
（Ｄ）成分の界面活性剤が、非イオン界面活性剤である請求項１〜４のいずれか一項に記載の粉末漂白洗浄剤組成物。
【発明の詳細な説明】
【０００１】
【発明の属する技術分野】
本発明は、食器・調理器具等の硬表面の漂白に好適に用いられる粉末状の漂白洗浄剤組成物に関する。さらに詳しくは、組成物の貯蔵安定性及び水溶液中の有効酸素の安定性に優れることはもとより、スケール生成抑制力及び被洗物の腐食防止性に優れ、且つ、水溶液中に含まれるカルシウム、マグネシウム等の硬度成分量の多少に関わらずに漂白効果及び洗浄力に優れる漂白洗浄剤組成物に関する。
【０００２】
【従来の技術】
従来、各種の食器、調理器具、住居用などに用いられる金属、ガラス、陶磁器、プラスチック等の硬表面に付着している色素汚れなどに対しては、低温でも漂白効果の高い次亜塩素酸ナトリウムを主成分とした漂白剤が広く用いられており、次亜塩素酸ナトリウムに界面活性剤を配合した塩素系の漂白洗浄剤も用いられてきた。しかしながら、塩素系の漂白剤又は漂白洗浄剤は、被洗物が金属の場合、錆を発生させやすく、また、ガラス、陶磁器、プラスチックなどの食器の場合、装飾の剥離や退色をもたらしたり、光沢を低減させたりするなどの欠点があった。さらに、酸性物質との併用による誤用事故のおそれがあり、近年では水質汚濁などの環境汚染も懸念されている。したがって、最近では、過酸化水素や、水溶液で過酸化水素を放出する過炭酸ナトリウム、過ホウ酸ナトリウム等の酸素系の漂白剤、又はこの酸素系の漂白剤に界面活性剤を添加した酸素系の漂白洗浄剤が広く用いられるようになってきた。
しかしながら、酸素系の漂白剤又は漂白洗浄剤は、塩素系の漂白剤又は漂白洗浄剤に比べて漂白効果が弱く、水溶液中の過酸化水素の安定性が悪いという欠点を有している。
【０００３】
特開平４−３７２６９４号公報には、過酸化水素と、界面活性剤と、ポリ−α−ヒドロキシアクリル酸又はその塩或いはそのポリラクトンと、ポリアクリル酸もしくはマレイン酸系のポリマーを含有させることにより、漂白効果と過酸化水素の貯蔵安定性が向上した液体の漂白剤組成物が開示されている。特開平４−３３１２９９号公報には、過酸素化合物と、界面活性剤と、テトラアセチルエチレンジアミン及び／又はグルコースペンタアセテートからなる漂白活性化剤と、ポリ−α−ヒドロキシアクリル酸又はその塩或いはそのポリラクトンを含有する漂白剤組成物が開示されている。
また、特開平７−２７８５９７号公報には、カレー等の食べこぼし汚れに対する漂白効果を向上させたものとして、過酸素化合物と高分子重合体と特定の酵素を含有してなる粉末漂白洗浄剤組成物が開示されている。
【０００４】
一方、酸素系漂白剤又は漂白洗浄剤を用いて食器・調理器具等を漂白する際に、水溶液の液性が弱アルカリ性からアルカリ性に設定されるために、水中のカルシウム、マグネシウム等の硬度成分が結びつきスケールとなって食器等の表面に付着する現象が起こる。特に、作業性を高めるために６０℃程度の温水で漂白する場合には、こうしたスケール生成が促進されやすいという欠点を有していた。また、スケールの付着は、不衛生である様な印象を与えるとともに、食器等の光沢を低下させてしまうといった欠点があった。
【０００５】
上記特開平４−３７２６９４号公報、特開平４−３３１２９９号公報、特開平７−２７８５９７号公報では、特定の成分を組み合わせることにより漂白効果や過酸化水素の安定性が向上することが開示されているが、スケールの生成防止という点には言及されておらず、近年、スケール生成抑制力を有する漂白洗浄剤が要望されていた。
【０００６】
【発明が解決しようとする課題】
本発明は、組成物の貯蔵安定性及び水溶液中の有効酸素の安定性に優れることはもとより、食器・調理器具等の漂白に際してスケールの生成が抑制され、被洗物の腐食防止性を有し、且つ硬水中においても優れた漂白効果と洗浄力を有する漂白洗浄剤組成物を提供することを目的とする。
【０００７】
【課題を解決するための手段】
本発明者らは、上記の目的を達成するべく鋭意研究を重ねた結果、本発明の完成に至った。すなわち、（Ａ）過酸素化合物２５〜８５質量％、（Ｂ）ポリ−α−ヒドロキシアクリル酸及び／又はその塩０．３〜２．５質量％、（Ｃ）アクリル酸とマレイン酸との共重合体である高分子重合体０．５〜３質量％、（Ｄ）陰イオン界面活性剤及び／又は非イオン界面活性剤０．４〜２質量％及び（Ｅ）炭酸塩１０〜２５質量％を含有し、漂白活性化剤を含有せず、食器・調理器具等の漂白洗浄用用途であることを特徴とする粉末漂白洗浄剤組成物を第１の要旨とする。
【０００８】
また、（Ａ）成分の過酸素化合物が過炭酸ナトリウムである上記粉末漂白洗浄剤組成物を第２の要旨とし、（Ｂ）成分のポリ−α−ヒドロキシアクリル酸及び／又はその塩が、ポリ−α−ヒドロキシアクリル酸ナトリウムである上記粉末漂白洗浄剤組成物を第３の要旨とする。そして（Ｃ）成分の高分子重合体の平均分子量が、５０，０００〜８０，０００の範囲である上記粉末漂白洗浄剤組成物を第４の要旨とする。さらに、（Ｄ）成分の界面活性剤が、非イオン界面活性剤である上記粉末漂白洗浄剤組成物を第５の要旨とする。
【００１０】
【発明の実施形態】
本発明の漂白洗浄剤組成物は、有効成分として、上記（Ａ）成分、（Ｂ）成分、（Ｃ）成分、（Ｄ）成分及び（Ｅ）成分を含有する粉末状の組成物である。
【００１１】
本発明に用いられる（Ａ）成分の過酸素化合物としては、例えば過炭酸ナトリウム，過炭酸カリウムなどの過炭酸塩、過ホウ酸ナトリウムなどの過ホウ酸塩、過フタル酸ナトリウムなどの過フタル酸塩、過リン酸塩、さらには硫酸ナトリウムやケイ酸ナトリウムなどに過酸化水素を付加させたもの等が挙げられる。これらは単独で用いてもよく、２種以上を組み合わせて用いてもよい。これらのうち、安全性や環境保全の点から、過炭酸塩が好ましく、特に過炭酸ナトリウムが好ましく用いられる。これらの過酸素化合物の有効酸素量としては、過炭酸ナトリウムであれば１１％含有のものが、過ホウ酸ナトリウムであれば１５％含有のものが通常用いられる。
【００１２】
この（Ａ）成分の過酸素化合物の配合量は、本発明の漂白洗浄剤組成物（以下、組成物という）中に、２５〜８５質量％の範囲で選ばれる。この量が２５質量％未満では漂白効果が充分に発揮されず、また８５質量％を超えて配合しても漂白効果の向上は認められず、むしろ経済的に不利となる上、他の成分の配合量に制約を受ける。経済性及び他の性能のバランスなどの点から、上記過酸素化合物の配合量は、組成物の全重量に基づき、４０〜８０質量％の範囲が好ましく、さらに漂白効果の点から６０〜８０質量％の範囲が好ましい。
【００１３】
本発明に用いられる（Ｂ）成分としては、ポリ−α−ヒドロキシアクリル酸及び／又はその塩である。酸の形であってもよく、一部又は全部が塩の形であってもよい。塩として、ナトリウム塩、カリウム塩、アミン塩及びアンモニウム塩等が挙げられる。水溶性でキレート作用を示し、水溶液中の有効酸素の安定化に寄与する。他成分との組み合わせにおいて漂白効果、洗浄力及びスケール生成抑制力の向上にも寄与する。本発明に用いられるポリ−α−ヒドロキシアクリル酸又はその塩としては、平均分子量が１，０００〜１，０００，０００の範囲で選ばれ、水溶液にしたときの有効酸素の安定性の点から、２，０００〜８００，０００の範囲が好ましく、さらに漂白効果の点から、２，０００〜２００，０００の範囲がより好ましい。特に、水への溶解性および経済性の点から、ポリ−α−ヒドロキシアクリル酸において塩の一部又は全部がナトリウム塩であるものが好ましい。
【００１４】
この（Ｂ）成分の配合量は、組成物中に０．３〜２．５質量％の範囲で選ばれる。この量が０．３質量％未満では組成物水溶液中の有効酸素の安定性の向上効果に乏しく、また２．５質量％を超えて配合しても、組成物水溶液中の有効酸素の安定性の向上効果は飽和になり、むしろ経済的に不利となる。組成物水溶液中の有効酸素の安定性及び経済性の点から、上記ポリ−α−ヒドロキシアクリル酸及び／又はその塩の配合量は、組成物の全重量に基づき、０．５〜２質量％の範囲が好ましい。
【００１５】
本発明に用いられる（Ｃ）成分としては、アクリル酸とマレイン酸との共重合体である高分子重合体が挙げられ、１種又は２種以上を組み合わせて用いられる。上記高分子重合体は、酸の形であってもよく、一部又は全部が塩の形であってもよい。上記高分子重合体は、スケール生成抑制力をもたせる目的で配合され、他成分との組み合わせにおいて漂白効果、洗浄力及び再汚染防止性の向上にも寄与する。
【００１７】
また、上記アクリル酸とマレイン酸との共重合体の塩としては、ナトリウム塩、カリウム塩、アミン塩及びアンモニウム塩等が挙げられる。なかでも塩の一部又は全部がナトリウム塩であるものが好ましい。
【００１８】
そして、（Ｃ）成分の共重合体及びその塩の平均分子量は、スケール生成抑制力の点から、３０，０００〜１００，０００の範囲が好ましく、さらに漂白効果、洗浄力及び再汚染防止性の向上の点から、５０，０００〜８０，０００の範囲がより好ましい。
【００１９】
なお、スケール生成抑制力及び再汚染防止性の点から、本発明では、（Ｃ）成分としてアクリル酸とマレイン酸との共重合体を用いるが、さらに、経済性の点から、上記アクリル酸とマレイン酸との共重合体において一部又は全部がナトリウム塩であるものが好ましい。
【００２０】
この（Ｃ）成分の配合量は、組成物中に０．５〜３質量％の範囲で選ばれる。この量が０．５質量％未満ではスケール生成抑制力に効果に乏しく、また３質量％を超えて配合しても、スケール生成抑制力の向上は飽和となり、むしろ経済的に不利となる。スケール生成抑制力及び経済性の点から、上記高分子重合体の配合量は、組成物の全重量に基づき、スケール生成抑制力及び洗浄力の点から、１〜３質量％の範囲がより好ましい。
【００２１】
本発明に用いられる（Ｄ）成分は組成物の洗浄力を向上させる目的で配合され、陰イオン界面活性剤及び／又は非イオン界面活性剤の１種又は２種以上を組み合わせて用いられる。
【００２２】
ここで、陰イオン界面活性剤としては、アルキル又はアルケニルエーテル硫酸塩、アルキル又はアルケニル硫酸塩、オレフィンスルホン酸塩、アルカンスルホン酸塩、アルキル又はアルケニルエーテルカルボン酸塩、α−スルホ脂肪酸塩又はそのエステル類等を挙げることができる。なかでも、洗浄力の点から、アルキルベンゼンスルホン酸塩、アルカンスルホン酸塩、アルキル硫酸エステル塩、アルキルエーテル硫酸エステル塩、α―オレフィンスルホン酸塩が好ましく用いられる。
【００２３】
非イオン界面活性剤としては、ポリオキシアルキレンアルキルエーテル、ポリオキアルキレンアルケニルエーテル、ポリオキシアルキレンアルキルフェニルエーテル、ポリオキシアルキレンアルケニルフェニルエーテル、高級脂肪酸アルカノールアミド又はそのアルキレンオキサイド付加物、脂肪酸グリセリンモノエステル、蔗糖脂肪酸エステル、ポリオキシエチレン高級脂肪酸アルカノールアミド及びアミンオキサイド等を挙げられる。なかでも、洗浄力及び浸透性の点から、ポリオキシアルキレンアルキルエーテルが好ましく用いられる。
ポリオキシアルキレンアルキルエーテルは、式Ｒ−（Ａｏ）ｎ−Ｒ’で表される。Ｒはアルキル、アルケニル、アルキルフェニル、アルケニルフェニル基であり、洗浄力の点から、炭素数は６〜２４の範囲が好ましい。Ａｏはアルキレンオキサイドであり、エチレンオキサイド、プロピレンオキサイド、ブチレンオキサイド等が挙げられ、これらのうち１種又は２種以上を組み合わせて用いられる。ｎはアルキレンオキサイドの付加モル数であり、洗浄力の点から２〜１５が好ましい。Ｒ’は水素又はメチル基又はエチル基である。経済性及び洗浄力の点から、例えば、炭素数９〜１６の高級アルコールのエチレンオキサイド（２〜１５モル）付加物、炭素数９〜１６の高級アルコールのエチレンオキサイド（２〜１５モル）プロピレンオキサイド（２〜１５モル）付加物が好ましく用いられる。
【００２４】
この（Ｄ）成分の配合量は、組成物中に０．４〜２質量％の範囲で選ばれる。この量が０．４質量％未満では洗浄力に劣り、また２質量％を超えて配合しても、洗浄力に向上は認められず、むしろ経済的に不利となる。洗浄力及び経済性の点から、上記界面活性剤は、組成物の全重量に基づき、０．４〜２質量％の範囲が好ましい。
【００２５】
本発明に用いられる（Ｅ）成分としての炭酸塩は、炭酸塩、重炭酸塩、セスキ炭酸塩が挙げられ、これらのうち１種又は２種以上を組み合わせて用いられる。その塩としては、たとえばナトリウム塩、カリウム塩、アミン塩及びアンモニウム塩が挙げられるが、なかでもナトリウム塩が好ましい。
【００２６】
（Ｅ）成分は、漂白効果及び洗浄力を向上させるために加えられ、その配合量は、組成物中に１０〜２５質量％の範囲で選ばれる。１０質量％以下では、漂白効果及び洗浄力の向上に乏しく、２５質量％を超えて配合した場合は、他成分とのバランスから、水中のカルシウムイオンと結合してスケールを生成しやすくなる。したがって、洗浄力及び経済性の点から、上記炭酸塩は、組成物の全重量に基づき、１０〜２５質量％の範囲に設定される。
【００２７】
また、本発明の組成物には、上記各成分に加え本発明の目的を阻害しない範囲で、必要に応じて更に、クエン酸，リンゴ酸，酒石酸，マレイン酸，フマル酸，コハク酸，グルコン酸等の有機カルボン酸及び／又はその塩、硫酸塩、キレート剤等の洗浄ビルダー、色素、香料、防腐剤、酵素等を配合することができる。
【００２８】
本発明の組成物は、食器・調理器具等の漂白洗浄用においては、３０〜６０℃の水道水に希釈した水溶液として用いられる。３０℃以下では漂白効果および洗浄力が低下し、６０℃以上では漂白洗浄作業性に乏しく、火傷のおそれも生じる。本発明の組成物は、被洗浄物に付着した色素汚れや食物汚れの量に応じて０．０８〜２質量％の水溶液として用いられ、このときの有効酸素濃度は２．５〜１７％であることが好ましい。こうして調製された組成物の水溶液に、被洗浄物に付着した色素汚れや食物汚れの量に応じて１０分〜２時間浸漬して漂白洗浄に供される。また、このときの水溶液のｐＨは弱アルカリ性からアルカリ性であることが好ましく、特に有効酸素の安定性から、１０〜１１程度であることが好ましい。本発明の組成物に酵素を配合した場合も同様である。
【００２９】
【実施例】
以下、本発明の粉末漂白洗浄剤組成物について、実施例と比較例により本発明を詳細に説明する。なお、本発明はこれらに限定されるものではない。
【００３０】
（１）供試漂白洗浄剤組成物の調製１
表１〜４に示す実施例１〜１５、参考例１〜５及び比較例１〜７の漂白洗浄剤組成物を調製し、各種試験に供した。なお、表中の各成分の数値は、各成分の有り姿（質量％）であり、成分（Ａ）〜（Ｅ）及び任意成分の和は全体で１００質量％となっている。
【００３１】
（２）得られた各種漂白洗浄剤組成物について、漂白効果、洗浄力、スケール生成抑制力、腐食防止性、水溶液中の有効酸素安定性、貯蔵安定性の試験項目について、以下の試験方法と判定基準により評価し、その結果を表１〜４に併せて示した。
【００３２】
（２−１）漂白効果１
［試験方法］
茶シブの付着した湯呑み茶碗を、水道水を用いて１質量％に調製した水温４０℃の各組成物溶液に１時間浸漬する。水洗後、乾燥して以下の基準で評価した。
［評価基準］
◎：茶シブ汚れが完全に除去されている。
○：茶シブ汚れがほとんど除去されている。
△：茶シブ汚れが少し認められる。
×：茶シブ汚れのほとんどが認められる。
【００３３】
（２−２）洗浄力１
［試験方法］
・油汚れ：大豆油と牛脂を重量比で１：１の割合で混合した混合油を２２０℃で１０時間、撹拌しながら加熱して作成した。５０℃程度まで冷却した後、ステンレス板のテストピースに０．３ｇとり、均一に塗り広げて室温で２時間放置し、凝固させる。
水道水を用いて１質量％に調製した水温４０℃の各組成物溶液２００ｍｌに、上記により作成したテストピースを１０分間浸漬した後、取り出して静水中ですすぎ、自然乾燥させる。汚れの除去重量及び目視観察により、洗浄力を以下の基準で評価した。
［評価基準］
◎：９０％以上除去される。
○：７０％以上除去される。
△：５０％以上除去される。
×：５０％未満しか除去されない。
【００３４】
（２−３）スケール生成抑制力１
［試験方法］
蒸留水２０００ｍｌに対し、硫酸マグネシウム七水和物３８０ｍｇ、炭酸水素ナトリウム７３２ｍｇ、塩化カルシウム４９４ｍｇを溶解させ、人工硬水３００ｐｐｍを調製する。この人工硬水を用いて１質量％に調製した各組成物溶液をガラス瓶に入れ、水溶液温度７０℃のまま５時間保持する。一夜室温で冷却した後、ガラス瓶内の水溶液を捨て、ガラス瓶を水洗する。ガラス瓶の内壁の様子を目視で観察するとともに指先でさわったときの感触を、以下の基準で評価した。
［評価基準］
◎：ガラス瓶の内壁にスケールの付着が全く認められない。
○：目視ではガラス瓶の内壁にスケールの付着がほとんど認められないが、指先で触るとざらざらする。
△：ガラス瓶の内壁にスケールの付着が目視で認められる。
×：ガラス瓶の内壁にスケールの付着が顕著に認められる。
【００３５】
（２−４）腐食防止性
［試験方法］
蒸留水を用いて１質量％に調製した各組成物溶液を水温７０℃で１０時間、＃４００の紙ヤスリで研磨したステンレス鋼（ＳＵＳ４１０）片を浸漬する。取り出した後水洗し、ステンレス鋼片の表面の変色を観察して、以下の基準で評価した。
［評価基準］
◎：ステンレス鋼表面に変色は認められない。
○：ステンレス鋼表面に変色が少し認められる。
△：ステンレス鋼表面に変色が認められる。
×：ステンレス鋼表面に明らかな変色とともに腐食が認められる。
【００３６】
（２−５）水溶液中の有効酸素の安定性
［試験方法］
蒸留水を用いて１質量％に調製した各組成物溶液を水温６０℃に保持し、組成物の溶解直後及び３時間後の有効酸素濃度を測定する。有効酸素の安定性は、次式を用いて算出する。
水溶液中の有効酸素の安定性（％）＝（３時間後の有効酸素濃度）／（溶解直後の有効酸素濃度）×１００
［評価基準］
◎：有効酸素の安定性９０％以上
○：有効酸素の安定性７５％以上
△：有効酸素の安定性６０％以上
×：有効酸素の安定性６０％未満
【００３７】
（２−６）貯蔵安定性
［試験方法］
各組成物５０ｇを、ピンホールを有するスチロール棒瓶１００ｍｌにいれ、４０℃、７５ＲＨで２週間保存し、保存前後における有効酸素濃度を測定する。有効酸素の安定性は、次式を用いて算出する。
［評価基準］
貯蔵安定性（％）＝（２週間保存後の有効酸素濃度）／（保存前の有効酸素濃度）×１００
◎：有効酸素の安定性９０％以上
○：有効酸素の安定性８０％以上
△：有効酸素の安定性５０％以上
×：有効酸素の安定性５０％未満
【００３８】
【表１】
0004263860.tif 000002
【００３９】
【表２】
0004263860.tif 000003
【００４０】
【表３】
0004263860.tif 000004
【００４１】
【表４】
0004263860.tif 000005
【００４２】
なお、表中に示した成分は以下の通りであり、表１〜６においても同様である。
＊過ホウ酸ナトリウム：有効酸素量１５％含有品
＊過炭酸ナトリウム：有効酸素量１１％含有品
＊ＰＨＡＳ：ポリ−α−ヒドロキシアクリル酸ナトリウム
＊単独重合体：ポリアクリル酸ナトリウム（平均分子量８，０００）
＊共重合体：アクリル酸／マレイン酸共重合体のナトリウム塩（部分中和物）（平均分子量７０，０００）
＊陰イオン界面活性剤１：アルカンスルホン酸ナトリウム（クラリアントジャパン社製／品名：Ｈｏｓｔａｐｕｒ  ＳＡＳ６０／炭素数１２〜１６の第２級アルカンスルホン酸ナトリウム；純分６０％品）
＊陰イオン界面活性剤２：アルキルエーテル硫酸ナトリウム（東邦化学社製／品名：アルスコープ  ＴＨ−３３０／ポリオキシエチレン（３）ラウリルエーテル硫酸ナトリウム；純分２６％品）
＊非イオン界面活性剤１：ポリオキシアルキレンアルキルエーテル（第一工業製薬社製／品名：ノイゲンＬＰ―１００／天然高級アルコールのエチレンオキサイド及びプロピレンオキサイド付加物）
＊非イオン界面活性剤２：ポリオキシエチレンアルキルエーテル（シェルジャパン社製／品名：ネオドール９１−８／炭素数９〜１１のアルコールのエチレンオキサイド８モル付加物）
＊非イオン界面活性剤３：ポリオキシエチレンアルキルエーテル（日本触媒社製／品名：ソフタノール  ９０／炭素数１２〜１４の第２級アルコールのエチレンオキサイド９モル付加物）
＊非イオン界面活性剤４：ポリオキシエチレンアルキルフェニルエーテル（第一工業製薬社製／品名：ノイゲンＥＡ−１２０／ポリオキシエチレンノニルフェニルエーテル）
＊ＴＡＥＤ：テトラアセチルエチレンジアミン
【００４３】
さらに、本発明を詳細に説明するため、硬水によって漂白洗浄剤組成物を希釈した際の効果について述べる。
（３）供試漂白洗浄剤組成物の調製２
表５〜６に示す実施例１６〜２０、参考例６及び比較例８〜１２の漂白洗浄剤組成物を調製し、各種試験に供した。
なお、表中の各成分の数値は、各成分の有り姿（質量％）であり、成分（Ａ）〜（Ｅ）及び任意成分の和は全体で１００質量％となっている。
また、表中の実施例及び比較例の陰イオン界面活性剤及び非イオン界面活性剤は、表１〜４で示したものと同様である。
【００４４】
（４）得られた各種漂白洗浄剤組成物について、漂白効果、洗浄力、スケール生成抑制力の試験項目について、以下の試験方法と判定基準により評価し、その結果を表５〜６に併せて示した。
【００４５】
（４−１）漂白効果２
［汚染布の作成］
水道水１０００ｍｌに対して粉茶２０ｇを入れ、１時間沸騰させた後、ガーゼで濾過して、室温まで冷却し、緑茶溶液とする。一方、水酸化カルシウムの飽和水溶液を調製し、定着液とする。綿ブロード＃６０の布を緑茶液に５分間浸し、続いて定着液に５分間浸した後、水洗して乾燥させる。この工程を３回繰り返して緑茶汚染布を作成する。
［試験方法］
・人工硬水の調製：蒸留水２０００ｍｌに対し、硫酸マグネシウム七水和物３８０ｍｇ、炭酸水素ナトリウム７３２ｍｇ、塩化カルシウム４９４ｍｇを溶解させ、人工硬水３００ｐｐｍを調製する。
・鉄イオン含有人工硬水の調製：上記人工硬水に硫酸鉄（２）アンモニウム六水和物５ｍｇを溶解させ、鉄イオン含有人工硬水を調製する。
上記により調製した人工硬水又は鉄イオン含有人工硬水又は蒸留水を用いて１質量％に調製した水温６０℃の各組成物溶液５００ｍｌに、上記により作成した緑茶汚染布（５ｃｍ×５ｃｍ）を３分間浸漬した後、取り出して水洗し、自然乾燥させる。白色度は色差計にて測定し、漂白率は次式にて求める。
［漂白効果の算出］
漂白率（％）＝（漂白後の白色度―漂白前の白色度）／（汚染前の白布の白色度―漂白前の白色度）×１００
以下の基準で評価した。
◎：漂白率８０％以上
○：漂白率６５％以上
△：漂白率５０％以上
×：漂白率５０％未満
【００４６】
（４−２）洗浄力２
［試験方法］
・油汚れ：大豆油と牛脂を重量比で１：１の割合で混合した混合油を２２０℃で１０時間、撹拌しながら加熱して作成した。５０℃程度まで冷却した後、ステンレス板のテストピースに０．３ｇとり、均一に塗り広げて室温で２時間放置し、凝固させる。
・卵汚れ：生卵を卵黄と卵白に分け、それぞれガーゼで濾過する。濾過した卵黄と卵白を重量比で４：６の割合で混合し、ステンレス板のテストピースに０．６ｇとり、均一に塗り広げて室温で３時間放置し、乾固させる。
・でんぷん汚れ：上新粉と蒸留水を重量比で１：９の割合で混合し、７０℃で３０分、撹拌しながら加熱してペースト状にする。ステンレス板のテストピースに０．６ｇとり、均一に塗り広げて室温で３時間放置し、乾固させる。
・人工硬水の調製：蒸留水２０００ｍｌに対し、硫酸マグネシウム七水和物３８０ｍｇ、炭酸水素ナトリウム７３２ｍｇ、塩化カルシウム４９４ｍｇを溶解させ、人工硬水３００ｐｐｍを調製する。
上記により調製した人工硬水又は蒸留水を用いて１質量％に調製した水温４０℃の各組成物溶液２００ｍｌに、上記により作成した３種類のテストピースを別々に、所定時間浸漬する。浸漬時間は、油汚れ及び卵汚れについては１０分、でんぷん汚れについては２０分である。その後、取り出して静水中ですすぎ、自然乾燥させる。汚れの除去重量及び目視観察により、洗浄力を以下の基準で評価した。
［評価基準］
◎：９０％以上除去される。
○：７０％以上除去される。
△：５０％以上除去される。
×：５０％未満しか除去されない。
【００４７】
（４−３）スケール生成抑制力２
［試験方法］
（４−２）の洗浄力試験終了後、一夜室温で放冷する。ガラス瓶内の水溶液を捨て、ガラス瓶を水洗する。ガラス瓶の内壁の様子を目視で観察するとともに指先でさわったときの感触を、以下の基準で評価した。
［評価基準］
◎：ガラス瓶の内壁にスケールの付着が全く認められない。
○：目視ではガラス瓶の内壁にスケールの付着がほとんど認められないが、指先で触るとざらざらする。
△：ガラス瓶の内壁にスケールの付着が目視で認められる。
×：ガラス瓶の内壁にスケールの付着が顕著に認められる。
【００４８】
【表５】
0004263860.tif 000006
【００４９】
【表６】
0004263860.tif 000007
【００５０】
本発明の粉末漂白洗浄剤組成物である実施例１〜２０において、漂白効果、洗浄力、スケール生成抑制力、腐食防止性、水溶液中の有効酸素の安定性、貯蔵安定性のいずれの試験項目においても、良好な性能を示すことがわかる。
【００５１】
比較例１〜３及び比較例８〜９はポリ−α−ヒドロキシアクリル酸塩を含まない場合である。比較例１〜３より、水溶液中の有効酸素の安定性及び貯蔵安定性に問題があり、食器・調理器具等の浸漬漂白という使用方法においては、十分な効果を発揮できないことがわかる。また、洗浄力も十分ではないこともわかる。さらに、比較例８〜９より、水溶液中に鉄イオンが存在する場合に漂白効果が劣ること、及び洗浄力試験後で水溶液内に汚れ成分が存在する場合にスケール生成抑制力に劣ることがわかる。
【００５２】
比較例３〜４及び比較例９〜１０はポリアクリル酸塩及び／又はポリアクリル酸とマレイン酸との共重合体の塩を含まない場合であり、スケール生成抑制力に劣っていることがわかる。特に、比較例９〜１０において、洗浄力試験後で水溶液内に汚れ成分が存在した場合のスケールの生成が著しく、実用性には耐えないことがわかる。
【００５３】
比較例５及び比較例１１は界面活性剤を含まない場合であり、漂白効果及び洗浄力に劣ることがわかる。また、比較例６及び比較例１２は炭酸塩の含有量が１０質量％を下回る量を含有する場合であり、漂白効果及び洗浄力に劣ることがわかる。比較例７は漂白活性化剤（テトラアセチルエチレンジアミン）が配合された従来の漂白剤組成物の場合であり、本発明品に漂白活性化剤を配合することにより、スケール生成抑制力及び被洗物の腐食防止性が低下することがわかる。
【００５４】
【発明の効果】
本発明の粉末漂白剤組成物は、食器・調理器具等の漂白に好適に用いられ、組成物の貯蔵安定性及び水溶液中の有効酸素の安定性に優れることはもとより、スケール生成抑制力及び被洗物の腐食防止性に優れ、且つ、水溶液中に含まれるカルシウム、マグネシウム等の硬度成分量の多少に関わらずに漂白効果及び洗浄力に優れる。